Podtech/llm-jp-corpus-v4-ja_patent huggingface dataset:
【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
エチレンおよびプロピレンを含む混合軽質オレフィン原料ストリームと、単環芳香族化合物を含む液体芳香族原料ストリームとから、ガソリン沸点範囲生成物を製造するための方法であって、
該方法は、エチレンおよびプロピレンを含む軽質オレフィンを、オレフィンガスストリームから、ベンゼンを含む軽質芳香族炭化水素のストリームへ、１２０℃未満の温度かつ３５００ｋＰａｇ未満の圧力で、向流で溶解させることによって抽出して、芳香族炭化水素中に抽出オレフィンを含む抽出ストリームと未収着オレフィンを含むストリームとを形成する工程、
抽出ストリーム中の芳香族を、芳香族炭化水素ストリームに溶解された抽出オレフィンと、ＭＷＷ系のゼオライトを含む固体モレキュラーシーブアルキル化触媒の固定床の上で、２５０℃未満の温度、芳香族のオレフィンに対する比が重量で０．５：１〜５：１、かつ、０．５〜５．０ＷＨＳＶ（ｈｒ−１）のオレフィン空間速度で、液相反応でアルキル化させて、アルキルベンゼンを含むアルキル芳香族を含むガソリン沸点範囲生成物を形成させる工程、および
未収着オレフィンからなるストリームを、気相のアルキル化工程へ送り、そこで未収着オレフィンからなるストリーム中のオレフィンが、さらなる芳香族原料のストリームと接触して、該ストリーム中の芳香族を、液相アルキル化において使用されるＭＷＷタイプのゼオライトよりエチレンの転換に対して活性がある中間細孔径のゼオライトからなる触媒上、固定床触媒気相反応で、未収着オレフィンによってアルキル化する工程
を含むことを特徴とするガソリン沸点範囲生成物の製造方法。
【請求項２】
前記芳香族原料ストリームは、改質油を含むことを特徴とする請求項１に記載の方法。
【請求項３】
前記混合軽質オレフィン原料ストリームは、Ｃ２〜Ｃ４オレフィンを含むことを特徴とする請求項１に記載の方法。
【請求項４】
ＭＣＭ−２２系の前記ゼオライトは、ＭＣＭ−２２を含むことを特徴とする請求項１に記載の方法。
【請求項５】
前記オレフィン原料ストリームは、芳香族原料ストリームと、ＭＣＭ−２２ゼオライト触媒の存在下に、温度１５０℃〜２５０℃で反応されることを特徴とする請求項４に記載の方法。
【請求項６】
前記オレフィン原料ストリームは、芳香族原料ストリームと、ＭＣＭ−２２ゼオライト触媒の存在下に、温度１５０℃〜２００℃で反応されることを特徴とする請求項５に記載の方法。
【請求項７】
前記芳香族原料ストリームは、ベンゼン５〜６０重量％を含む改質油ストリームであることを特徴とする請求項１に記載の方法。
【請求項８】
前記芳香族原料ストリームは、ベンゼン２５〜４０重量％を含むことを特徴とする請求項７に記載の方法。
【請求項９】
前記オレフィン原料ストリームは、芳香族原料ストリームと、ＭＷＷ系のゼオライト触媒の存在下で圧力３，０００ｋＰａｇ以下で反応されることを特徴とする請求項１に記載の方法。
【請求項１０】
前記オレフィン原料ストリームは、芳香族原料ストリームと、圧力３，０００ｋＰａｇ以下で反応されることを特徴とする請求項１に記載の方法。
【請求項１１】
ＭＷＷタイプのゼオライトよりエチレンの転換に対して活性がある中間細孔径のゼオライトがＺＳＭ−５のゼオライトであることを特徴とする請求項１に記載の方法。
【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
ＳＰＡオレフィンオリゴマー化処理装置を、ハイオクタン価のガソリン生成物を生成し、前記装置内でガソリンを生成するための処理装置に転換させて、ハイオクタン価のガソリン生成物を製造する方法であって、
該方法は、軽質オレフィン供給原料がオリゴマー化してガソリン沸点範囲の炭化水素生成物を形成する下降流反応器を含むＳＰＡオレフィンオリゴマー化処理装置を、モレキュラーシーブベースのオレフィンオリゴマー化触媒を用いる運転に適合させることによって、前記装置を転換させることからなり、かつ
前記処理装置から固体リン酸（ＳＰＡ）触媒を回収するステップと、
ＭＷＷゼオライト物質を含むオレフィン縮合触媒を前記処理装置の前記反応器に充填するステップと、
（ｉ）流動接触分解装置での石油原料油の接触分解によって製造されるＣ２〜Ｃ４オレフィンを含む軽質オレフィン供給原料ストリームおよび（ｉｉ）少なくとも１２容量％のベンゼンを含む芳香族、ベンゼン含有の共供給原料を、２００℃より高温かつ１０，０００ｋＰａｇを超えない圧力で、液相で（反応器の入り口において）下降流方式で前記触媒を通過させて、前記軽質オレフィン供給原料ストリームと前記ベンゼン含有の共供給原料とを前記触媒と接触させ（このとき、芳香族のオレフィンに対する比が重量で１：１を超えない）、芳香族アルキル化処理において前記オレフィンと前記芳香族共供給原料中のベンゼンとを反応させて、Ｃ１０〜Ｃ１４のアルキル芳香族からなるアルキル芳香族生成物を生成するステップと、
を含むことを特徴とする方法。
【請求項２】
前記ＭＷＷゼオライト物質が、ＭＣＭ−２２族のゼオライトのメンバーを含むことを特徴とする請求項１に記載の方法。
【請求項３】
前記触媒が、再生されたＭＣＭ−２２触媒を含むことを特徴とする請求項２に記載の方法。
【請求項４】
前記触媒が、自己結合ＭＣＭ−２２触媒を含むことを特徴とする請求項１に記載の方法。
【請求項５】
前記オレフィン供給原料が、エチレン、プロペン、ブテンから選択される少なくとも２個のオレフィンを含む混合軽質オレフィン供給原料を含み、かつ、前記アルキル化処理が、２００〜３５０℃の温度、７，０００ｋＰａｇ以下の圧力で運転されることを特徴とする請求項１に記載の方法。
【請求項６】
前記オレフィン供給原料が、６ヶ月以上の連続再生の間のサイクル期間に縮合触媒上で芳香族共供給原料とともに処理されることを特徴とする請求項１に記載の方法。
【請求項７】
芳香族共供給原料が、２０〜６０重量％のベンゼンを含むことを特徴とする請求項１に記載の方法。
【請求項８】
前記反応が、逐次的な、複数の触媒固定床を備えるチャンバー反応器、または液体冷媒に浸漬した管状構造の平行反応器を備える管状反応器において行われることを特徴とする請求項１に記載の方法。
【請求項９】
軽質オレフィン供給原料をオリゴマー化してガソリン沸点範囲の炭化水素燃料生成物を形成する反応器を含む、固体リン酸（ＳＰＡ）オレフィンオリゴマー化処理装置を転換して、ガソリン沸点範囲のガソリン混合成分を製造するための方法であって、
該方法は、固体リン酸触媒を前記ＳＰＡ装置から回収し、活性触媒成分としてＭＷＷゼオライト物質を含む芳香族アルキル化触媒を前記処理装置の反応器に充填して前記触媒の固定床を提供し、前記オレフィンおよび芳香族原料油を、前記反応器内の触媒の固定床に、液相で（反応器の入り口において）、下降流において、２００〜３５０℃の温度、７，０００ｋＰａｇ以下の圧力、および５ＷＨＳＶ（ｈｒ−１）以下のオレフィン空間速度、ならびに芳香族：オレフィンの重量比を１：１以下で通過させて芳香族原料油における単環芳香族をアルキル化することによってＣ１０〜Ｃ１４のアルキル芳香族からなるアルキル芳香族生成物を製造し、流動接触分解装置における、石油原料油の接触分解によって生成されたオレフィン供給原料油のＣ２〜Ｃ４範囲の軽質オレフィンとともにベンゼンを含有する改質物を含む軽質芳香族原料油中の単環芳香族の触媒によるアルキル化によるアルキル芳香族を含む、ハイオクタン価のガソリン沸点範囲のガソリン混合成分を生成することによって、前記ＳＰＡ装置をモレキュラーシーブベースの触媒を用いた運転に転換することを特徴とする方法。
【手続補正書】
【提出日】平成21年2月26日(2009.2.26)
【手続補正１】
【補正対象書類名】特許請求の範囲
【補正対象項目名】全文
【補正方法】変更
【補正の内容】
【特許請求の範囲】
【請求項１】
熱硬化性感圧接着剤テープであって、
第１の厚さを有するとともに第１の熱硬化性感圧接着剤を含む第１の接着剤層であって、前記第１の接着剤が光重合性アクリル成分と熱硬化性エポキシ成分とブラック着色顔料とを含む第１の出発材料の光重合反応生成物であり、前記第１の接着剤が前記ブラック着色顔料なしに硬化した時に黒色ではなく、前記第１の接着剤が実質的に硬化した後に黒色を前記第１の接着剤にもたせるのに十分な量の前記ブラック着色顔料を前記第１の出発材料が含む第１の接着剤層と、
第２の厚さを有するとともに第２の熱硬化性感圧接着剤を含む第２の接着剤層であって、前記第２の接着剤が光重合性アクリル成分と熱硬化性エポキシ成分とを含む第２の出発材料の光重合反応生成物であり、前記第２の接着剤が十分なブラック着色顔料を含まずに硬化した時に前記第２の接着剤が黒色ではなく、前記第２の接着剤が実質的に硬化した後に黒色を前記第２の接着剤にもたせる量の前記ブラック着色顔料を前記第２の接着剤が含まない第２の接着剤層と、
を含み、
前記第１の出発材料が前記十分な量のブラック着色顔料を含んでいる状態であっても前記第１の出発材料の実質的な光重合を可能にするのに十分に薄い前記第１の出発材料の層から前記第１の接着剤層が製造され、前記第２の接着剤が硬化した後に黒色を前記第２の接着剤にもたせる十分な量の前記ブラック着色顔料を前記第２の出発材料が含んでいたならば、前記第２の出発材料の実質的な光重合を妨げるのに十分に厚い前記第２の出発材料の層から前記第２の接着剤層が製造され、前記第１の接着剤層が前記第２の接着剤層の主面に接着される、熱硬化性感圧接着剤テープ。
【請求項２】
前記第１の出発材料中の前記ブラック着色顔料含有率が前記第１の出発材料の少なくとも約０．１２５重量％であり、前記第２の出発材料中の前記ブラック着色顔料含有率が前記第１の出発材料の０．０〜０．１重量％の範囲内である、請求項１に記載のテープ。
【請求項３】
前記第２の接着剤層に接着されたミラーボタンまたはヒンジプレートと組み合わさっている、請求項１又は２に記載のテープ。
【手続補正書】
【提出日】平成21年2月27日(2009.2.27)
【手続補正１】
【補正対象書類名】特許請求の範囲
【補正対象項目名】全文
【補正方法】変更
【補正の内容】
【特許請求の範囲】
【請求項１】
メルトインデックス（Ｉ２）が０．０１ｄｇ／分から１００ｄｇ／分の範囲であり、Ｍｗ（ａｂｓ）／Ｍｗ（ＧＰＣ）比が２．６以下であり、および、溶融強度が（１４．０ｅ（−１．０５＊ｌｏｇ１０（ＭＩ）））ｃＮ未満であるＬＤＰＥ樹脂を含む主成分、ならびに、
メルトインデックス（Ｉ２）が５ｄｇ／分未満であり、分子量分布が７より大きく、および、Ｍｗ（ａｂｓ）／Ｍｗ（ＧＰＣ）比が２．７以上であるＬＤＰＥ樹脂を含む、１〜４９％重量の副成分、
を含む組成物。
【請求項２】
前記副成分のメルトインデックス（Ｉ２）が０．１ｄｇ／分から２．５ｄｇ／分の範囲であり、および、ＭＷ（ａｂｓ）／ＭＷ（ＧＰＣ）比が３．０より大きい、請求項１に記載の組成物。
【請求項３】
前記組成物の前記溶融強度が（１．１）（１４．０ｅ（−１．０５＊ｌｏｇ１０（ＭＩ）））ｃＮより大きい、請求項１に記載の組成物。
【請求項４】
ＬＤＰＥ樹脂を含む組成物であり、ここで、前記組成物のメルトインデックス（Ｉ２）は０．０１ｄｇ／分から１００ｄｇ／分の範囲であり、溶融強度は（１４．０ｅ（−１．０５＊ｌｏｇ１０（ＭＩ）））ｃＮより大きく、ＭＷ（ａｂｓ）／ＭＷ（ＧＰＣ）比は１．２＋（７＊ＭＷ／１０６）より大きい、組成物。
【請求項５】
エチレンを供給する段階、
前記エチレンおよび必要に応じて１つ以上のコモノマーを、最低１つの管型反応器および最低１つのオートクレーブ型反応器を含む反応器システム中で、１８，０００ｐｓｉｇから５５，０００ｐｓｉｇの範囲の高圧で、１９０℃から４００℃の反応器温度において反応させる段階、を含み、
ここで、前記反応器への前記エチレンの供給は複数のエチレン供給ストリームに分けられ、および、前記管型反応器への前記エチレン供給ストリームのうち少なくとも１つは、実質的に未反応エチレンから構成される、フリーラジカル開始重合プロセス。
【請求項６】
前記オートクレーブ型および管型反応器が前記順序で直列接続されて運転され、前記管型反応器へ分割される最大エチレン供給ストリームがｙ＝１−（０．３５）ｘで表され、ここで、ｙは前記管型反応器への最大部分供給を表し、および、ｘは前記管型反応器へのエチレン供給ストリームの総数を表し、それぞれのエチレン供給ストリームが前記反応器温度よりも低温である、請求項５に記載のフリーラジカル開始重合プロセス。
【請求項７】
前記オートクレーブの前記平均反応器温度が
関数Ｙ＝（（０．００６）（Ｐ））＋８５
に従い、各フリーラジカル開始剤注入後の前記管型反応器温度が少なくとも２５０℃のピーク温度を有する、請求項５に記載のフリーラジカル開始重合プロセス。
［式中、Ｙは、前記平均オートクレーブ反応器温度を摂氏で表したものであり、Ｐは前記オートクレーブ反応器圧力をｐｓｉｇで表したものである。］
【請求項８】
Ｆ≧（０．０２１＊Ｙ２）−（９．４８＊Ｙ）＋（１３１８）である、請求項２３に記載のフリーラジカル開始重合プロセス。
［式中、Ｆ＝（Ｘ＊Ｚ）＋（（１−Ｘ）＊Ｙ）であり、ここで、Ｘは前記管中で転換されるポリマーの総量のうちの画分を表し、Ｚは前記管型反応器中で達した最大反応器温度を摂氏で表したものである。］
【請求項９】
請求項１または４のいずれかに記載のポリマー組成物を含む物品。
【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
少なくとも１つのEpac (cAMPにより直接活性化される交換タンパク質)アンタゴニストを、医薬的に許容される担体とともに含む、心臓肥大症、心不整脈、弁膜症、拡張機能障害、慢性心不全、虚血性心不全及び心筋炎からなる群より選択される病変の予防又は治療を意図する医薬組成物。
【請求項２】
前記アンタゴニストが、Epac活性化阻害剤、Epac活性阻害剤、Epac細胞内局在化破壊剤及びEpac発現阻害剤からなる群より選択される請求項１に記載の医薬組成物。
【請求項３】
前記アンタゴニストが、
- Epac cAMP結合部位に指向された抗体、そのフラグメント又はアプタマー、
- cAMPアナログ、
- ブレフェルジンA又はその誘導体
からなる群より選択されるEpac活性化阻害剤である請求項１又は２に記載の医薬組成物。
【請求項４】
前記アンタゴニストが、
- Epacのグアニンヌクレオチド交換因子(GEF)ドメイン又はRas交換モチーフ(REM)ドメインに指向された抗体、そのフラグメント又はアプタマー、
- ブレフェルジンA又はその誘導体
からなる群より選択されるEpac活性阻害剤である請求項１又は２に記載の医薬組成物。
【請求項５】
前記アンタゴニストが、
- Epac細胞局在化ドメインに指向された抗体、そのフラグメント又はアプタマー、
- ブレフェルジンA又はその誘導体
からなる群より選択されるEpac細胞内局在化破壊剤である請求項１又は２に記載の医薬組成物。
【請求項６】
前記アンタゴニストが、
- Epac mRNAに指向されたアンチセンス核酸、
- Epac二本鎖DNAに指向された一本鎖DNA、
- Epac核酸配列を含む二本鎖RNA、siRNA又はshRNA、
- Epac mRNAに指向されたリボザイム
からなる群より選択されるEpac発現阻害剤である請求項１又は２に記載の医薬組成物。
【請求項７】
作用物質として、
- Epac mRNAに指向されたアンチセンス核酸、
- Epac核酸配列を含む二本鎖RNA、siRNA又はshRNA、
- Epac mRNAに指向されたリボザイム
からなる群より選択されるEpac発現阻害剤を、医薬的に許容される担体とともに含む医薬組成物。
【請求項８】
作用物質として、
- Epac cAMP結合部位に指向された抗体、そのフラグメント又はアプタマー、
- EpacのGEFドメイン又はREMドメインに指向された抗体、そのフラグメント又はアプタマー、
- Epac細胞局在化ドメインに指向された抗体、そのフラグメント又はアプタマー
からなる群より選択されるEpac活性化阻害剤、Epac活性阻害剤又はEpac細胞内局在化破壊剤を、医薬的に許容される担体とともに含む医薬組成物。
【請求項９】
心臓肥大症、心不整脈、弁膜症、拡張機能障害、慢性心不全、虚血性心不全及び心筋炎からなる群より選択される病変の予防又は治療を意図する化合物をスクリーニングするためのEpacの使用。
【請求項１０】
- Epacを、スクリーニングされる化合物と、cAMP又はEpac活性化cAMPアナログの存在下に接触させ、
- Epacの活性化をアッセイし、
- Epacの活性化を阻害する化合物を選択する
工程を含む、心臓肥大症、心不整脈、弁膜症、拡張機能障害、慢性心不全、虚血性心不全及び心筋炎からなる群より選択される病変の予防又は治療を意図する化合物をスクリーニングする方法。
【請求項１１】
Epacを、Epacの活性化の際に活性化されやすいエフェクタータンパク質とも接触させ、Epacの活性化が、該エフェクタータンパク質の活性を測定することにより評価される請求項１０に記載の方法。
【請求項１２】
- 正常心筋細胞に比べてEpac活性が増加した心筋細胞を、スクリーニングされる化合物と接触させ、
- 前記Epac活性が増加した心筋細胞の肥大特性を評価し、
- 化合物で処理していないEpac活性が増加した心筋細胞の肥大特性に比べて、Epac活性が増加した心筋細胞の肥大特性を阻害する化合物を選択する
工程を含む、心臓肥大症、心不整脈、弁膜症、拡張機能障害、慢性心不全、虚血性心不全及び心筋炎からなる群より選択される病変の予防又は治療を意図する化合物をスクリーニングする方法。
【請求項１３】
前記スクリーニングされる化合物が、
- cAMPアナログ、或いは
- ブレフェルジンA誘導体
である請求項１０〜１２のいずれか1項に記載の方法。
【請求項１４】
Epac活性が、対応する野生型非ヒト哺乳動物に対して増加している、心臓肥大症モデルとして用いるための非ヒトトランスジェニック哺乳動物。
【請求項１５】
Epacが対応する野生型非ヒト哺乳動物に対して過剰発現している、請求項１４に記載の非ヒトトランスジェニック哺乳動物。
【請求項１６】
活性化cAMP結合ドメインが欠如したEpacの構成的に活性化された形をコードする核酸配列を含む、請求項１４又は１５に記載の非ヒトトランスジェニック哺乳動物。
【請求項１７】
マウスである、請求項１４〜１６のいずれか1項に記載の非ヒトトランスジェニック哺乳動物。
【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
帯状疱疹および／または帯状疱疹後神経痛の予防または寛解のための医薬の製造における、VZV gEまたはその免疫原性断片およびTH-1アジュバントを含む免疫原性組成物の使用。
【請求項２】
アジュバントがQS21を含む、請求項１記載の使用。
【請求項３】
アジュバントがリポソームを含む、請求項１または２に記載の使用。
【請求項４】
リポソームがコレステロールを含む、請求項３記載の使用。
【請求項５】
アジュバントが3D MPLを含む、請求項１〜４のいずれか１項に記載の使用。
【請求項６】
MPLがリポソーム内に含まれている、請求項５記載の使用。
【請求項７】
gEがトランケート型である、請求項１〜６のいずれか１項に記載の使用。
【請求項８】
gEがC末端トランケート型である、請求項７記載の使用。
【請求項９】
gEが図1のアミノ酸配列を有する、請求項８記載の使用。
【請求項１０】
５０歳以上の個体群に使用するための、請求項１〜９のいずれか１項に記載の使用。
【請求項１１】
免疫不全の個体群に使用するための、請求項１〜１０のいずれか１項に記載の使用。
【請求項１２】
カルボキシ末端のアンカー領域が除去されるようにトランケートされているVZV gE抗原と、それと組合せた、QS21、3D MPLおよびコレステロールを含むリポソームを含んでなるアジュバントとから本質的になる、免疫原性組成物またはワクチン。
【請求項１３】
弱毒化生VZVまたは不活化された完全VZVと共に同時または逐次的投与するための医薬の製造におけるVZV抗原の使用であって、該組合せが、帯状ヘルペスおよび／または帯状疱疹後神経痛の危険にある個体の該疾患の重篤度を予防または低下するために用いられる、上記使用。
【請求項１４】
VZV抗原が弱毒化生VZVと同時に送達される、請求項１３に記載の使用。
【請求項１５】
VZV抗原がC末端トランケート型gE抗原であり、かつ弱毒化生VZVが弱毒化VZV OKA株である、請求項１３または１４に記載の使用。
【請求項１６】
弱毒化生VZVまたは不活化された完全VZVと、それらとは別にVZV抗原またはそれらの免疫原性派生物を含んでなるキットであって、その成分が同時もしくは逐次的送達に好適であるか、または送達前に単一組成物として混合するのに好適である、上記キット。
【請求項１７】
帯状疱疹および／または帯状疱疹後神経痛の予防または寛解のためのワクチンの組成物を即座に調製するのに好適である、TH-1アジュバントおよびgE抗原またはそれらの免疫原性断片を別々の成分として含む、キット。
【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
被験者由来のサンプル中の非拡散性球状Ａβ（Ｘ−３８．．４３）オリゴマー構造エピトープに対して特異性を有する自己抗体を検出する方法であって、サンプルを非拡散性球状Ａβ（Ｘ−３８．．４３）オリゴマーまたはその標識もしくは架橋された誘導体と接触させる段階［ここで、Ｘは数１．．２４からなる群から選択される］；ならびに抗体およびオリゴマーまたは誘導体によって形成された複合体を検出する段階を含み、複合体の存在が自己抗体の存在を示すものである、前記方法。
【請求項２】
被験者がアミロイドーシスを有することが疑われ、および自己抗体の検出が被験者でのアルツハイマー病を診断するためのものである、請求項１に記載の方法。
【請求項３】
サンプルを非拡散性球状Ａβ（Ｘ−３８．．４３）オリゴマーまたはその誘導体と接触させる前に、サンプルを抗体／抗原複合体の解離を誘発するのに好適な条件に供することを更に含む、請求項１または２に記載の方法。
【請求項４】
サンプルが血漿、全血、乾燥全血または血清である、請求項１〜３のいずれか１項に記載の方法。
【請求項５】
サンプルが脳脊髄液である、請求項１〜３のいずれか１項に記載の方法。
【請求項６】
オリゴマーが非拡散性球状Ａβ（Ｘ−４０）オリゴマーである、請求項１〜５のいずれか１項に記載の方法。
【請求項７】
オリゴマーが非拡散性球状Ａβ（Ｘ−４２）オリゴマーである、請求項１〜５のいずれか１項に記載の方法。
【請求項８】
Ｘが数８．．２４、１２．．２４、または１２．．２０からなる群から選択される、請求項１〜７のいずれか１項に記載の方法。
【請求項９】
非拡散性球状Ａβ（Ｘ−３８．．４３）オリゴマーが非拡散性球状Ａβ（２０−４２）オリゴマーである、請求項１〜７のいずれか１項に記載の方法。
【請求項１０】
オリゴマーが可溶性である、請求項１〜９のいずれか１項に記載の方法。
【請求項１１】
オリゴマーが固相にコートされている、請求項１〜９のいずれか１項に記載の方法。
【請求項１２】
非拡散性球状Ａβ（Ｘ−３８．．４３）オリゴマーまたはその誘導体［ここで、Ｘは数１．．２４からなる群から選択される］。
【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
神経変性疾患の治療で用いる薬剤の製造における、２−（２−ニトロ−４−トリフルオロメチルベンゾイル）−１，３−シクロヘキサンジオン（化合物２）、または製薬学的に許容されるその塩の使用。
【請求項２】
該疾患がパーキンソン病である、請求項１に記載の使用。
【請求項３】
薬剤が化合物２または製薬学的に許容されるその塩および動物において４−ヒドロキシフェニルピルビン酸ジオキシゲナーゼ（ＨＰＰＤ）を同様に阻害できるさらなる化合物を含む、請求項１または請求項２に記載の使用。
【請求項４】
該薬剤がドーパミン作用薬を含む、前記請求項のいずれか１項に記載の使用。
【請求項５】
該薬剤がレボドーパおよびデカルボキシラーゼ阻害剤を含む、前記請求項のいずれか１項に記載の使用。
【請求項６】
製薬学的に有効な量の化合物２または製薬学的に許容されるその塩と製薬学的に有効な量のドーパミン作用薬と動物へのその送達手段とを含むキット。
【請求項７】
製薬学的に有効な量の化合物２または製薬学的に許容されるその塩と製薬学的に有効な量のレボドーパと動物へのその送達手段とを含むキット。
【請求項８】
製薬学的に許容される希釈剤または担体とともに、活性成分として、化合物２または製薬学的に許容されるその塩と製薬学的に有効な量の、動物においてＨＰＰＤを同様に阻害できるさらなる化合物とを含む医薬組成物。
【請求項９】
製薬学的に許容される希釈剤または担体とともに、製薬学的に有効な量の化合物２または製薬学的に許容されるその塩と製薬学的に有効な量のドーパミン作用薬とを含む医薬組成物。
【請求項１０】
製薬学的に許容される希釈剤または担体とともに、製薬学的に有効な量の化合物２または製薬学的に許容されるその塩と製薬学的に有効な量のレボドーパとを含む医薬組成物。
【請求項１１】
製薬学的に許容される希釈剤または担体とともに、製薬学的に有効な量の化合物２または製薬学的に許容されるその塩と製薬学的に有効な量のレボドーパおよびデカルボキシラーゼ阻害剤とを含む医薬組成物。
【請求項１２】
製薬学的に許容される希釈剤または担体とともに、製薬学的に有効な量の化合物２または製薬学的に許容されるその塩と製薬学的に有効な量のカテコール−Ｏ−メチルトランスフェラーゼ阻害剤とを含む医薬組成物。
【請求項１３】
製薬学的に有効な量のＨＰＰＤ阻害剤と製薬学的に有効な量のモノアミンオキシダーゼ阻害剤と動物へのその送達手段とを含む医薬組成物。
【請求項１４】
経口または非経口投与に適した形態である、請求項８〜１３のいずれか１項に記載の医薬組成物。
【請求項１５】
錠剤、トローチ剤、硬質カプセル、水性懸濁液、油性懸濁液、乳濁液、分散性粉剤、分散性顆粒剤、シロップおよびエリキシル剤からなる群より選択される経口投与に適した口当たりの良い形態である、請求項１４に記載の医薬組成物。
【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
血管新生依存性の腫瘍の治療のための医薬製剤であって、デフィブロチドおよび/または4000-10000ダルトンの分子量を有するオリゴデオキシリボヌクレオチドを含む上記医薬製剤。
【請求項２】
該オリゴデオキシリボヌクレオチドが以下の分析パラメーターを有することを特徴とする、請求項１に記載の医薬製剤。
h（濃色効果）  ＜１０
A+T/C+G：1.100-1.455
A+G/C+T：0.800-1.160
比旋光度：  +30°−  +46.8°
【請求項３】
比旋光度が+30°および+46.2°の間にあることを特徴とする、請求項２に記載の医薬製剤。
【請求項４】
該オリゴデオキシリボヌクレオチドおよび/またはデフィブロチドが、動物および/または植物の組織からの抽出により得られたものであることを特徴とする、請求項１に記載の医薬製剤。
【請求項５】
該オリゴデオキシリボヌクレオチドおよび/またはデフィブロチドが、合成的に得られることを特徴とする、請求項１に記載の医薬製剤。
【請求項６】
該血管新生依存性の腫瘍が多発性骨髄腫であることを特徴とする、請求項１に記載の医薬製剤。
【請求項７】
該血管新生依存性の腫瘍が乳がんであることを特徴とする、請求項１に記載の医薬製剤。
【請求項８】
該製剤が哺乳動物に投与されるものであることを特徴とする、請求項１に記載の医薬製剤。
【請求項９】
該哺乳動物がヒトであることを特徴とする、請求項８に記載の医薬製剤。
【請求項１０】
該製剤が静脈から投与されるものであることを特徴とする、請求項１に記載の医薬製剤。
【請求項１１】
該製剤が水溶液であることを特徴とする、請求項１に記載の医薬製剤。
【請求項１２】
該製剤が抗腫瘍作用を有する少なくとも１の他の活性成分を含むことを特徴とする、請求項１に記載の医薬製剤。
【請求項１３】
抗腫瘍作用を有する該他の活性成分が、ラパマイシン、パクリタキセル、モノクロタリン、BCNU、および/またはシクロホスファミドから選択されることを特徴とする、請求項１２に記載の医薬製剤。
【請求項１４】
該製剤が慣用の賦形剤および/またはアジュバンドを含むことを特徴とする、請求項１に記載の医薬製剤。
【請求項１５】
該オリゴデオキシリボヌクレオチドおよび/またはデフィブロチドが、哺乳動物の器官からの抽出により得られたものであることを特徴とする、請求項１に記載の医薬製剤。
【手続補正書】
【提出日】平成21年2月23日(2009.2.23)
【手続補正１】
【補正対象書類名】特許請求の範囲
【補正対象項目名】請求項１５
【補正方法】変更
【補正の内容】
【請求項１５】
反応時間が４〜８時間であることを特徴とする、請求項１の方法。
【手続補正書】
【提出日】平成21年2月23日(2009.2.23)
【手続補正１】
【補正対象書類名】特許請求の範囲
【補正対象項目名】請求項５
【補正方法】変更
【補正の内容】
【請求項５】
式X-CH2CNの四級化剤の量が、第三級ジアミンを基準にして１．８〜３．０モル当量であることを特徴とする、請求項１の方法。
【手続補正２】
【補正対象書類名】特許請求の範囲
【補正対象項目名】請求項６
【補正方法】変更
【補正の内容】
【請求項６】
式X-CH2CNの四級化剤の量が、第三級ジアミンを基準にして２．０〜２．５モル当量であることを特徴とする、請求項１の方法。
【手続補正３】
【補正対象書類名】特許請求の範囲
【補正対象項目名】請求項７
【補正方法】変更
【補正の内容】
【請求項７】
式X-CH2CNの四級化剤の量が、第三級ジアミンを基準にして２．０〜２．３モル当量であることを特徴とする、請求項１の方法。
【手続補正４】
【補正対象書類名】明細書
【補正対象項目名】０００５
【補正方法】変更
【補正の内容】
【０００５】
欧州特許出願公開第303 520号では、これらのアンモニウムニトリルは、クロロアセトニトリルを過剰のＮ，Ｎ，Ｎ’，Ｎ’−テトラメチルエチレンジアミンもしくはＮ，Ｎ，Ｎ’，Ｎ’−テトラメチルヘキサン−１，６−ジアミンとアセトン中９０℃で反応させることによって得る。記載されている（Ｉ）及び（ＩＩ）の合成法を繰り返すと、不満足な収率しか得ることができない。例えば、化合物（Ｉ）は、１１％の収率でしか単離されなかった。
【特許文献１】欧州特許出願公開303 520号明細書
【特許文献２】欧州特許出願公開第458 396号明細書
【特許文献３】欧州特許出願公開第464 880号明細書
【特許文献４】国際公開第2 003 078 561号パンフレット
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
免疫系を制御するための医薬組成物であって、以下の一般式Ｉ：
【化１】
2008531675.tif 000001
［式中、Ｒ１及びＲ２は、一緒に、
−（ＣＨ２）ｎ−ＣＲ４Ｒ５−（ＣＨ２）ｍ−
基を形成し、
ここにおいて、ｎ及びｍは、整数０、１又は２から独立に選択され、
そしてＲ４及びＲ５は、Ｈ、Ｃ１−１８アルキル、Ｃ１−１８アルコキシ、Ｃ１−１８ヒドロキシアルキル、Ｃ２−１８アルケニル及びＣ６−１８アリール又はアラルキルから独立に選択され、
そしてＲ３は、γ−リノレノイル、γ−ジホモリノレノイルから選択される必須多価不飽和脂肪酸の脂肪族アシル基である］
の化合物を含む、前記医薬組成物。
【請求項２】
Ｒ１及びＲ２が、−ＣＲ４Ｒ５基を形成し、ここにおいて、Ｒ４及びＲ５が、Ｈ及びＣ１−６アルキルから独立に選択される、請求項１に記載の医薬組成物。
【請求項３】
Ｒ１及びＲ２が、−ＣＨ２−又は−ＣＨ２ＣＨ２−基を形成する、請求項１又は２に記載の医薬組成物。
【請求項４】
式Ｉの化合物が、５−γ−リノレノイルオキシ−１，３−ジオキサン及び５−ジホモ−γ−リノレノイルオキシ−１，３−ジオキサンから選択される、請求項１に記載の医薬組成物。
【請求項５】
サイトカインの調節不全の治療のための、請求項１ないし４のいずれか１項に記載の医薬組成物。
【請求項６】
神経変性疾患における脱髄の治療又は予防のための、請求項１ないし５のいずれか１項に記載の医薬組成物。
【請求項７】
調節されたサイトカインが、ＴＧＦ−β１、ＴＮＦ−α、ＩＬ−１β、ＩＬ４、ＩＬ５、ＩＬ６、ＩＬ８、ＩＬ１０、ＩＬ１３、及びγ−ＩＦＮのうちの一つ又はそれより多く、である、請求項１ないし６のいずれか１項に記載の医薬組成物。
【請求項８】
治療が、免疫系の異常に対するものである、請求項１ないし７のいずれか１項に記載の医薬組成物。
【請求項９】
治療が、全身性エリテマトーデス（ＳＬＥ）、アレルギー、喘息、クローン病及びリュウマチ様関節炎、多発性硬化症、神経変性疾患、脳卒中の後遺症、頭部外傷、出血並びにアルツハイマー及びパーキンソン病の慢性異常、冠動脈心疾患（ＣＨＤ）、早産児の異常及び敗血症、からなる群から選択される症状に対するものである、請求項８に記載の医薬組成物
【請求項１０】
以下の式Ｉ：
【化２】
2008531675.tif 000002
［式中、Ｒ１及びＲ２は、一緒に、
−（ＣＨ２）ｎ−ＣＲ４Ｒ５−（ＣＨ２）ｍ−
基を形成し、
ここにおいて、ｎ及びｍは、整数０、１又は２から独立に選択され、
そしてＲ４及びＲ５は、Ｈ、Ｃ１−１８アルキル、Ｃ１−１８アルコキシ、Ｃ１−１８ヒドロキシアルキル、Ｃ２−１８アルケニル及びＣ６−１８アラルキルから独立に選択され、
そしてＲ３は、γ−リノレノイル、γ−ジホモリノレノイルから選択される必須多価不飽和脂肪酸の脂肪族アシル基である］
の化合物。
【請求項１１】
Ｒ１及びＲ２が、−ＣＲ４Ｒ５基を形成し、ここにおいて、Ｒ４及びＲ５が、Ｈ及びＣ１−６アルキルから独立に選択される、請求項１０に記載の化合物。
【請求項１２】
Ｒ１及びＲ２が、−ＣＨ２−又は−ＣＨ２ＣＨ２−基を形成する、請求項１０又は１１に記載の化合物。
【請求項１３】
５−アシルオキシ−１，３−ジオキサンである、請求項１１に記載の化合物。
【請求項１４】
５−γ−リノレニルオキシ−１，３−ジオキサン又は５−ジホモ−γ−リノレニルオキシ−１，３−ジオキサンである、請求項１１ないし１３のいずれか１項に記載の化合物。
【請求項１５】
治療において使用するための、請求項１１ないし１４のいずれか１項に記載の化合物。
【請求項１６】
５−ヒドロキシ−１，３−ジオキサンを、γ−リノレノイル若しくはγ−ジホモリノレノイルの酸、又は、γ−リノレノイル、γ−ジホモリノレノイルのハロゲン化物と反応させることを含んでなる、一般式Ｉの化合物の合成のための方法。
【請求項１７】
式Ｉの化合物を、医薬的に又は栄養補助食品的に受容可能な担体、被覆、カプセル、希釈剤及び／又は保存剤と一緒に含んでなる、請求項１ないし９のいずれか１項に記載の医薬組成物。
【請求項１８】
抗酸化剤又はエステル転移反応の阻害剤である保存剤を含んでなる、請求項１７に記載の医薬組成物。
【請求項１９】
０．０５ｍｇ／ｇ又はそれより少ないビタミンＥを含んでなる、請求項１８に記載の医薬組成物。
【請求項２０】
神経変性疾患が、脱髄を含む、請求項６に記載の医薬組成物。
【請求項２１】
治療が、根底にある神経変性を特異的に抑止し、そして神経の機能を回復する、請求項６に記載の医薬組成物。
【請求項２２】
γ−リノレン酸、ジホモ−γ−リノレン酸及びアラキドン酸の脂質含有率に対して神経膜組成を基準化する、請求項１ないし９のいずれか１項に記載の医薬組成物。
【請求項２３】
末梢血単核球の放出からの自然の放出から測定される、健康なＴＧＦ−β１／ＴＮＦα比を回復する、請求項１ないし９のいずれか１項に記載の医薬組成物。
【請求項２４】
疾病が、再発寛解型多発性硬化症、一次性進行性多発性硬化症又は慢性進行性多発性硬化症である、請求項６に記載の医薬組成物。
【請求項２５】
治療が、脳卒中後の脳機能障害、頭部外傷及び頭蓋内出血、脱髄又は神経損傷が存在するアルツハイマー病或いはパーキンソン病である、請求項６に記載の医薬組成物。
【請求項２６】
患者のＴＧＦ−β１レベルを治療的レベルに維持するか又はそれまで増加するための、請求項１ないし９のいずれか１項に記載の医薬組成物。
【請求項２７】
１８ヶ月の毎日投与後、０．４ないし３．０、少なくとも０．５、更に好ましくは少なくとも０．７５、そして最も好ましくは少なくとも１の、患者の血液から単離された末梢血単核細胞から自然に放出されるＴＧＦ−β１／ＴＮＦ−α比に、患者のＴＧＦ−β１レベルを維持するか又はそこまで増加するための、請求項１ないし９のいずれか１項に記載の医薬組成物。
【請求項２８】
１８ヶ月の毎日投与後、少なくとも０．７５の、患者の血液から単離されたＰＢＭＣ中のＴＧＦ−β１／ＩＬ−１β比を生じさせるための、請求項１ないし９のいずれか１項に記載の医薬組成物。
【請求項２９】
投与量が、１ないし１０グラム／日間である、請求項１ないし２８のいずれか１項に記載の医薬組成物。
【請求項３０】
投与量が、２ないし１０グラム／日間である、請求項２９に記載の医薬組成物。
【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
増殖した血液幹細胞を含む薬学的な血液幹細胞組成物の治療有効量を哺乳動物に投与する工程を含む、上皮組織を治療する方法であって、前記血液幹細胞において、回転バイオリアクター中で分化なしで懸濁及び増殖した結果、遺伝的表現の組み換えが行われることを特徴とする方法。
【請求項２】
ＴＶＥＭＦ−増殖した血液幹細胞を含む薬学的な血液幹細胞組成物の治療有効量を哺乳動物に投与する工程を含む、上皮組織を治療する方法であって、前記血液幹細胞において、回転ＴＶＥＭＦ−生物反応器中で実質的に分化なしで懸濁及び増殖した結果、遺伝的表現の組み換えが行われることを特徴とする方法。
【請求項３】
前記上皮組織が、皮膚組織、口腔組織、及び耳組織からなる群より選択されることを特徴とする、請求項１又は２に記載の方法。
【請求項４】
前記投与する工程が、局所的、静脈内注射、歯肉組織への注射、及び皮下注射の少なくとも１つの投与方法を介する薬学的な血液幹細胞組成物の投与を含むことを特徴とする、請求項１又は２に記載の方法。
【請求項５】
前記哺乳動物がヒトであることを特徴とする、請求項１又は２に記載の方法。
【請求項６】
前記投与する工程の前に以下の工程を更に含むことを特徴とする、請求項１に記載の方法：
ａ．回転バイオリアクターの縦軸を有する培養チャンバー中に血液幹細胞を含む血液混合物を配置する工程；
ｂ．増殖した血液幹細胞が、培養チャンバー中に配置された血液幹細胞の数の７倍よりも多くなるまで、該増殖した細胞において、縦軸の周りで前記培養チャンバーを回転させて三次元環境中で前記細胞を懸濁させることを含む増殖の結果、遺伝的表現の組み換えが行われ、血液幹細胞を増殖させる工程；及び
ｃ．該増殖した細胞を薬学的に受容可能なキャリアと混合して、薬学的な血液幹細胞組成物を形成する工程。
【請求項７】
前記投与する工程の前に以下の工程を更に含むことを特徴とする、請求項２に記載の方法：
ｄ．ＴＶＥＭＦ−生物反応器の縦軸を有する培養チャンバー中に血液幹細胞を含む血液混合物を配置する工程；
ｅ．ＴＶＥＭＦ−増殖した血液幹細胞が、培養チャンバー中に配置された血液幹細胞の数の７倍よりも多くなるまで、該増殖した細胞において、縦軸の周りで前記培養チャンバーを回転させて三次元環境中で前記細胞を懸濁させることを含み、該血液幹細胞をＴＶＥＭＦさせ、ＴＶＥＭＦ−増殖の結果、遺伝的表現の組み換えが行われ、血液幹細胞をＴＶＥＭＦ−増殖させる工程；及び
ｆ．該ＴＶＥＭＦ−増殖した細胞を薬学的に受容可能なキャリアと混合して、薬学的な血液幹細胞組成物を形成する工程。
【請求項８】
前記増殖した細胞から有毒物質を除去する工程を更に含むことを特徴とする、請求項６又は７に記載の方法。
【請求項９】
前記血液幹細胞が、ＣＤ３４＋細胞であることを特徴とする、請求項６又は７に記載の方法。
【請求項１０】
前記哺乳動物がヒトであることを特徴とする、請求項６又は７に記載の方法。
【請求項１１】
天然に存在する血液中の血液幹細胞よりも少なくとも７倍多い体積あたりの数のＴＶＥＭＦ−増殖した血液幹細胞を含む、哺乳動物の上皮組織を治療するための薬学的な血液幹細胞組成物であって、前記血液幹細胞において、回転ＴＶＥＭＦ−生物反応器中で実質的に分化なしで懸濁及び増殖した結果、遺伝的表現の組み換えが行われることを特徴とする組成物。
【請求項１２】
前記上皮組織が、皮膚組織、耳組織、及び口腔組織からなる群より選択されることを特徴とする、請求項１１に記載の薬学的な血液幹細胞組成物。
【請求項１３】
前記耳組織が内耳組織であることを特徴とする、請求項１２に記載の薬学的な血液幹細胞組成物。
【請求項１４】
前記耳組織が内耳組織であることを特徴とする、請求項３に記載の方法。
【請求項１５】
上皮組織の治療のための医薬の調製における請求項１１に記載の組成物の使用。
【請求項１６】
前記上皮組織が、口腔、皮膚、及び耳組織からなる群より選択されることを特徴とする、請求項１５に記載の使用。
【請求項１７】
前記耳組織が内耳組織であることを特徴とする、請求項１６に記載の使用。
【手続補正書】
【提出日】平成21年2月26日(2009.2.26)
【手続補正１】
【補正対象書類名】特許請求の範囲
【補正対象項目名】全文
【補正方法】変更
【補正の内容】
【特許請求の範囲】
【請求項１】
回転可能なバイオリアクタの長手方向の軸を有する培養チャンバ内に、血液幹細胞を含有する血液混合物を配置する工程と；
体積当たりの血液幹細胞の数が前記培養チャンバに配置された数の少なくとも７倍となるように、前記細胞を浮遊させるために、前記回転可能なバイオリアクタの前記培養チャンバを前記長手方向の軸の周りを回転させることにより、前記血液幹細胞を拡張する工程と；
薬剤として許容可能な血液幹細胞組成を調製するために、前記拡張された血液幹細胞を、薬剤として許容可能なキャリアと混合する工程と；
前記薬剤として許容可能な血液幹細胞組成の、治療上効果的な量を哺乳類へ投与する工程を含有する、心臓の組織を治療する方法。
【請求項２】
ＴＶＥＭＦバイオリアクタの長手方向の軸を有する培養チャンバ内に、血液幹細胞を含有する血液混合物を配置する工程と；
体積当たりの血液幹細胞の数が前記培養チャンバに配置された数の少なくとも７倍となるように、前記細胞を浮遊させるために、前記ＴＶＥＭＦバイオリアクタの前記培養チャンバを前記長手方向の軸の周りを回転させることにより、前記血液幹細胞をＴＶＥＭＦ拡張すると同時に、ＴＶＥＭＦ拡張している細胞にＴＶＥＭＦを施す工程と；
薬剤として許容可能な血液幹細胞組成を調製するために、前記ＴＶＥＭＦ拡張された血液幹細胞を、薬剤として許容可能なキャリアと混合する工程と；
前記薬剤として許容可能な血液幹細胞組成の、治療上効果的な量を哺乳類へ投与する工程を含有する、心臓の組織を治療する方法。
【請求項３】
前記拡張は、実施的な分化なしに進むことを特徴とする、請求項１または２に記載の方法。
【請求項４】
前記投与工程が、哺乳類の末梢血流、心臓に隣接する組織、または心臓の組織の少なくとも一つへ、前記薬剤血液幹細胞組成を投与することを含有することを特徴とする、請求項１または２に記載の方法。
【請求項５】
前記薬剤血液幹細胞組成が、人間のＧＭ−ＣＳＦおよび人間のＧ−ＣＳＦの少なくとも一つをさらに含有することを特徴とする、請求項１または２に記載の方法。
【請求項６】
前記哺乳類が人間であることを特徴とする、請求項１または２に記載の方法。
【請求項７】
前記ＴＶＥＭＦが、約０．０５〜約６．０ガウスであることを特徴とする、請求項２に記載の方法。
【請求項８】
ＴＶＥＭＦバイオリアクタ内に前記血液混合物を配置するのに先立って、血液を採取する工程をさらに含有し、
前記血液が、自己由来源、同種異系源、哺乳類、血液バンク、病院、および低温保存された血液サンプルの少なくとも一つからなる群の少なくとも一つから採取されることを特徴とする、請求項５に記載の方法。
【請求項９】
前記血液混合物が、他の血液成分から分離されたＣＤ３４＋血液幹細胞を含有することを特徴とする、請求項１または２に記載の方法。
【請求項１０】
前記血液混合物が、赤血球を含まないことを特徴とする、請求項１または２に記載の方法。
【請求項１１】
前記哺乳類へ投与されるＴＶＥＭＦ拡張された血液幹細胞の、治療上効果がある量が、約１０７〜１０９幹細胞／ｍｌの約２０ｍｌであることを特徴とする、請求項２に記載の方法。
【請求項１２】
請求項１に記載の方法によって調製された、哺乳類の心臓の組織を治療するための薬剤血液幹細胞組成。
【請求項１３】
請求項２に記載の方法によって調製された、哺乳類の心臓の組織を治療するための薬剤血液幹細胞組成。
【請求項１４】
前記薬剤として許容可能なキャリアが、プラズマ(plasma)、血液、アルブミン、および５％の人間の血清アルブミンを有する塩水から成る群から選択された、少なくとも一つであることを特徴とする、請求項１２または１３に記載の組成。
【請求項１５】
心臓の組織の治療のための薬の調製における、請求項１２または１３に記載の組成の使用。
【請求項１６】
前記許容可能なキャリアが、プラズマ、血液、アルブミン、細胞培養培地、成長因子、銅キレート剤、ホルモン、バッファ、および、低温保存薬から成る群からの少なくとも一つであることを特徴とする、請求項１４に記載の組成。
【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
式 (I)の構造を有する、ラセミ形態 (R,S)またはそのRまたはS エナンチオマー形態の化合物またはその医薬上許容される塩:
【化１】
2008531613.tif 000001
(I)
［式中: 
Aは、-N(R2R3)、-N(R2R3R4)+および-C(R2R3R4)から選択され、ここで同一または異なる R2、R3、R4は、H、アルキル C1 - C2、 フェニル、およびフェニル-アルキル C1- C2から選択される;
Rは、-OH、-O-、カルボキシまたはアルコキシカルボニル基 C1 - C4で置換されていてもよい直鎖状または分枝状アルコキシ C1 - C4および基 Y-Zから選択され、ここで:
Y = -O-(CH2)n-O-、-O-(CH2)n-NH-、-S-(CH2)n-O-、-S-(CH2)n-NH-（nは1、2および3から選択される）、または-O-(CH2)n-NH-（nは0、1、2および3から選択される）;および、
【化２】
2008531613.tif 000002
R1は、-COOR5、-CONHR5、-SOR5、-SONHR5、-SO2R5および-SO2NHR5 から選択され、ここで、 
R5は、以下により置換された飽和または不飽和の直鎖状または分枝状アルキル C1 - C20：アリール C6-C10、アリールオキシ C6-C10、N、OおよびSから選択される１以上の原子を含むヘテロアリール C4-C10、N、OおよびSから選択される１以上の原子を含むヘテロアリールオキシ C4-C10、これらはさらに、飽和または不飽和の直鎖状または分枝状 アルキルまたはアルコキシ C1-C20で置換されている; 
ただし、 Aが-N(R2R3R4)+であり、R2、R3、およびR4が同一かつアルキルである場合、Rは-OHまたは-O-ではない］。
【請求項２】
R2、R3 およびR4がメチルである請求項 1の化合物。
【請求項３】
R1が-CONHR5である請求項 1の化合物。
【請求項４】
R5が7〜20の炭素原子を含む直鎖状または分枝状の飽和または不飽和アルキルである請求項 3の化合物。
【請求項５】
R5がヘプチル、オクチル、ノニル、デシル、ウンデシル、ドデシル、トリデシル、テトラデシル、ペンタデシル、ヘキサデシル、ヘプタデシル、オクタデシル、ノナデシルおよびエイコシルから選択される、請求項 3または4の化合物。
【請求項６】
(R)-4-(ジメチル アミノ)-3-(テトラデシル カルバモイル)- メチル アミノブチラートである請求項 1の化合物。
【請求項７】
(R)-4-(ジメチル アミノ)-3-(テトラデシル カルバモイル)-アミノ酪酸である請求項 1の化合物。
【請求項８】
(R)- 4-(トリメチル アミノ)-3-(テトラデシル カルバモイル)-メチル アミノブチラート クロリドである請求項 1の化合物。
【請求項９】
{2[-(N-メチル-(1,4-ジヒドロ-ピリジン)-3-イル)カルボニル]-アミノ}エチル ヨウ化物の(R)-4-トリメチルアンモニウム-3-(テトラデシルカルバモイル)-アミノ-ブチラートである請求項 1の化合物。
【請求項１０】
-3-(メトキシカルボニル)-プロピル ブロミドの(R)-4-トリメチルアンモニウム-3-(テトラデシルカルバモイル)-アミノ-ブチラートである請求項 1の化合物。
【請求項１１】
請求項1〜10のいずれかの化合物の調製方法。
【請求項１２】
請求項1〜10のいずれかの化合物を含む治療用組成物。
【請求項１３】
活性成分として請求項1〜10のいずれかの１以上の化合物を、賦形剤および/または医薬上許容される希釈剤と組み合わせて含む医薬組成物。
【請求項１４】
請求項1〜10のいずれかの１以上の化合物を、賦形剤、安定化剤および/または医薬上許容される希釈剤と混合することを含む、請求項 13の医薬組成物の調製方法。
【請求項１５】
カルニチンパルミトイルトランスフェラーゼの過剰活性に関連する障害の治療のための請求項1〜10のいずれかの化合物を含む医薬組成物。
【請求項１６】
肥満、高血糖、糖尿病および関連する障害、およびうっ血性心不全の予防および治療のための請求項 15の医薬組成物。
【請求項１７】
治療上有効量の請求項1〜10のいずれかの１以上の化合物を含む、高血糖、糖尿病、肥満および関連する障害を患う哺乳類の治療用医薬組成物。
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
主成分並びに目的生成物としてのアクリル酸及び副成分としてのメタクリル酸を含有する液相Ｐからのメタクリル酸の分離方法において、この分離が晶析により行われ、その際形成された結晶物中でアクリル酸が、そして残留する母液中でメタクリル酸が濃縮することを特徴とする、メタクリル酸の分離方法。
【請求項２】
液相Ｐがアクリル酸及びメタクリル酸を、少なくとも３対２のアクリル酸対メタクリル酸のモル比Ｖで有することを特徴とする、請求項１記載の方法。
【請求項３】
液相Ｐ中でＶが、３対２〜１０００００対１であることを特徴とする、請求項１又は２記載の方法。
【請求項４】
液相Ｐが、アクリル酸少なくとも１０質量％を含有することを特徴とする、請求項１から３までのいずれか１項記載の方法。
【請求項５】
液相Ｐが、アクリル酸少なくとも６５質量％を含有することを特徴とする、請求項１から３までのいずれか１項記載の方法。
【請求項６】
液相Ｐが、前記相中に含有されるアクリル酸量に対して、メタクリル酸０．０１〜１５質量％を含有することを特徴とする、請求項１から５までのいずれか１項記載の方法。
【請求項７】
液相Ｐが、前記相中に含有されるアクリル酸に対して、水０．２〜３０質量％を含有することを特徴とする、請求項１から６までのいずれか１項記載の方法。
【請求項８】
液相Ｐが、アクリル酸の少なくとも１種のＣ3前駆体化合物の不均一系触媒作用された気相部分酸化の生成物ガス混合物に由来することを特徴とする、請求項１から７までのいずれか１項記載の方法。
【請求項９】
少なくとも１種のＣ3前駆体化合物が、プロパンであることを特徴とする、請求項８記載の方法。
【請求項１０】
少なくとも１種のＣ3前駆体化合物が、プロピレンであることを特徴とする、請求項８記載の方法。
【請求項１１】
少なくとも１種のＣ3前駆体化合物が、不活性ガス成分としてプロパンを随伴するプロピレンであることを特徴とする、請求項８記載の方法。
【請求項１２】
プロピレン及びプロピレンに随伴するプロパンが、気相部分酸化に前接続した、プロパンの部分脱水素化及び／又は酸化脱水素化の生成物ガス混合物の成分であったことを特徴とする、請求項１１記載の方法。
【請求項１３】
液相Ｐが、アクリル酸の少なくとも１種のＣ3前駆体化合物の不均一系触媒作用された気相部分酸化の生成物ガス混合物に由来し、ここから吸収、部分的凝縮、分別凝縮、精留、ストリッピング及び脱着を含む群からの少なくとも１つの分離方法の適用下で産生されたことを特徴とする、請求項１から１２までのいずれか１項記載の方法。
【請求項１４】
メタクリル酸を濃縮して含有する母液が、分離方法の少なくとも１つへと返送されることを特徴とする、請求項１３記載の方法。
【請求項１５】
メタクリル酸を濃縮して含有する母液が、アクリル酸の少なくとも１種のＣ3前駆体化合物の不均一系触媒作用された気相部分酸化の生成物ガス混合物の分別凝縮に返送されることを特徴とする、請求項１４記載の方法。
【請求項１６】
懸濁結晶化を用いた晶析による分離が実施されることを特徴とする、請求項１から１５までのいずれか１項記載の方法。
【請求項１７】
懸濁結晶物と残留する母液との分離が、洗浄カラムを用いて実施されることを特徴とする、請求項１６記載の方法。
【請求項１８】
洗浄液体として、洗浄カラム中で前もって分離されたアクリル酸結晶の溶融物が使用されることを特徴とする、請求項１７記載の方法。
【請求項１９】
次の方法工程：
ａ）液相Ｐからのアクリル酸の晶析、
ｂ）残留する母液からのアクリル酸結晶物の分離、
ｃ）分離されたアクリル酸結晶物の少なくとも部分的な溶融、及び
ｄ）溶融されたアクリル酸結晶物の、工程ｂ）及び／又は工程ａ）への少なくとも部分的な返送を含むことを特徴とする、請求項１から１８までのいずれか１項記載の方法。
【請求項２０】
アクリル酸結晶物を溶融させ、かつ重合体中にラジカル重合により組み込む方法が引き続くことを特徴とする、請求項１から１９までのいずれか１項記載の方法。